(57)【要約】【課題】透光パネルを透過する発光がぼやけて視認性が低下することを抑制する空気調和器を提供する。【解決手段】空気調和機１は、発光部４４が配置された略矩形の発光表示部４２と、発光部４４で発光された光を透過させる前面透光パネル２０と、発光表示部４２の角部近傍にそれぞれ配置され、発光表示部４２を前面透光パネル２０に向かって付勢する板バネ４７とを有している。【選択図】図５
2010121861.tif 000002
【特許請求の範囲】
【請求項１】
発光部が配置された略矩形の発光表示部と、
前記発光部で発光された光を透過させる透光パネルと、
前記発光表示部の角部近傍にそれぞれ配置され、前記発光表示部を前記透光パネルに向かって付勢する板バネとを備えることを特徴とする空気調和機。
【請求項２】
前記発光表示部は、複数の前記発光部が同一面上に配置されていることを特徴とする請求項１に記載の空気調和機。
【請求項３】
前記複数の発光部は、ドットマトリックス状に配置されていることを特徴とする請求項２に記載の空気調和機。
【請求項４】
前記発光表示部が設けられ、前記発光部を有する発光基板が内部に配置された表示ケースと、
前記表示ケースと組み立て可能であって、前記板バネが内部に配置されたベースケースとを備えることを特徴とする請求項１〜３のいずれかに記載の空気調和機。
【請求項５】
前記ベースケース及び前記表示ケースは、それぞれの両端部同士を係止することにより組み立て可能に構成されていることを特徴とする請求項４に記載の空気調和機。
【発明の詳細な説明】
【技術分野】
【０００１】
この発明は、発光部で発光された光により種々の運転状態を表示する空気調和機であり、特に透光パネルを透過させた発光を視認させる空気調和機に関する。
【背景技術】
【０００２】
従来の空気調和機には、発光素子を発光させて種々の運転状態を表示するものがあり、発光素子を覆う表示カバーの前方から発光を視認できるように、表示カバーの後面から前面へ光を透過させるものが開示されている（例えば、特許文献１参照）。
【特許文献１】特開平６−３４１６７１号公報
【発明の開示】
【発明が解決しようとする課題】
【０００３】
表示カバー、前面グリル等の透光パネルに発光された光を透過させると、光が拡散されてぼやけてしまい視認性が低下することが生じる。特に透光パネル等が不透明な場合は光が散乱され易いために、光の視認性が低下する。しかし、特許文献１のような従来の空気調和機は、発光素子の点灯、点滅や発光色などの表示態様により各種運転状態を表示するものであり、光がぼやけても視認できないという問題は少なかった。
【０００４】
本発明の発明者は、多様な表示を行うために、発光素子（発光部）を７セグやドットマトリックス状に配置して文字や図形による情報を表示させるという新たな試行をしたところ、透光パネル等を透過した光がぼやけてしまうと文字情報等を視認できないという課題が生じた。本発明は、この課題に対する解決策を思考し、その結果、透光パネル等に発光部を密着させることにより、光がぼやけて視認性が低下することを抑制させることができることが判明した。また発光部が配置される部分を透光パネルに均一に密着させることによりさらに透光性が増すことも判明した。
【０００５】
なお、空気調和器には、製造コストの低減のために組み立て性の向上と、小形化のために部品の省スペース化が常に求められているものである。
【０００６】
本発明の目的は、このような見地に基づいて、透光パネルを透過する光がぼやけて視認性が低下することを抑制する空気調和器を提供することを目的とする。
【課題を解決するための手段】
【０００７】
本発明は、かかる目的を達成するために、次のような手段を講じたものである。
すなわち、第１の発明に係る空気調和機は、発光部が配置された略矩形の発光表示部と、前記発光部で発光された光を透過させる透光パネルと、前記発光表示部の角部近傍にそれぞれ配置され、前記発光表示部を前記透光パネルに向かって付勢する板バネとを備えていることを特徴とする。
【０００８】
この空気調和機では、板バネが発光表示部の角部近傍を透光パネルに向かって付勢しているため、発光表示部を透光パネルへ押し付けて均一に密着させることができ、透光パネルを透過する光がぼやけることを抑制することができる。
【０００９】
第２の発明に係る空気調和機は、上記の空気調和機において、前記発光表示部は、複数の前記発光部が同一平面上に配置されていることを特徴とする。
【００１０】
この空気調和機では、複数の発光部により発光態様を多様化することができる。
【００１１】
第３の発明に係る空気調和機は、上記の空気調和機において、前記複数の発光部は、ドットマトリックス状に配置されていることを特徴とする。
【００１２】
この空気調和機では、ドットマトリックス状に配置された複数の発光部により、文字、図形、記号等を表示する多様な発光を行うことができる。
【００１３】
第４の発明に係る空気調和機は、上記の空気調和機において、前記発光表示部が設けられ、前記発光部を有する発光基板が内部に配置された表示ケースと、前記表示ケースと組み立て可能であって、前記板バネが内部に配置されたベースケースとを備えることを特徴とする。
【００１４】
このような発光表示部４２とベースケース４６との間に、付勢手段を介在させながら組み立てる空気調和機について、付勢手段にコイルバネを用いることが考えられるが、組み立て時の押圧時にコイルバネがそり曲がって歪んでしまい十分に付勢しなくなる等の組み立て不良が発生することがあり、特に複数のコイルバネを介在させた場合には全てのコイルバネをバネ軸方向に押圧しつつ組み立てなければならないため、組み立て工程が難しいものであるが、本発明では、歪みにくい板バネを用いため、歪みを防止して組み立て易さを有効に向上させることができる。
さらに、コイルバネを設ける設置空間を省スペース化するためには、径（バネ幅）の小さいコイルバネを用いるとよいが、組み立て時に歪みやすく組み立てが難しくなってしまう。一方、径（バネ幅）の大きなコイルバネを用いると歪みにくく組み立て易さが向上するが、省スペース化が損なわれてしまう。本発明では、バネ幅を小さくしても歪みにくい板バネを用いているため、設置空間を小さくすることができる。
したがって、コイルバネ等の付勢手段を用いて、表示ケースとベースケースと組み立てる空気調和機は、組み立て易さと省スペース化とを両立させることが難しいものと考えられるが、本発明は、板バネを用いることにより、歪みを防止し、設置空間を小さくして組み立て易さと省スペース化とを両立させることができる。
【００１５】
第５の発明に係る空気調和機は、上記の空気調和機において、前記ベースケース及び前記表示ケースは、それぞれの両端部同士を係止することにより組み立て可能に構成されていることを特徴とする。
【００１６】
この空気調和機では、ベースケース及び表示ケースは、両端部同士を係止することにより組み立て可能であるので、組み立て易くなるとともに、板バネは歪みにくいため、板バネを均一に押圧しながら両ケースの両端を同時に係止して組み立てたり、板バネを不均一に押圧しながら両ケースの一端を係止させた後、他端を係止させて両ケースを組み立てたりすること等、様々な方向に押圧しつつ組み立てることができ、組み立て易さと組み立ての自由度の双方を向上させることができる。
【発明の効果】
【００１７】
本発明は、以上説明した構成であるから、以下の効果が得られる。
【００１８】
第１の発明によれば、発光表示部を透光パネルへ押し付けて密着させることができ、透光パネルを透過する光がぼやけることを抑制することができる。
【００１９】
第２の発明によれば、発光態様を多様化することができる。
【００２０】
第３の発明によれば、文字、図形、記号等を表示する多様な発光を行うことができる。
【００２１】
第４の発明によれば、組み立て易さと省スペース化とを両立させることができる。
【００２２】
第５の発明によれば、組み立て易さと組み立ての自由度の双方を向上させることができる。
【発明を実施するための最良の形態】
【００２３】
以下、図面に基づいて、本発明に係る空気調和機の室内機について説明する。
【００２４】
〔基本構成〕
図１は、本発明の実施形態に係る室内機１を前方斜め上から見た模式的斜視図である。
図２は、図１に示す室内機１を前方から見た模式図である。
図３は、図２に示す室内機１のＡ−Ａ断面模式図である。
図４は、図２に示す室内機１の前面透光パネル２０を取り外した模式図である。
【００２５】
図１に示すように、本実施形態の室内機１は、全体として一方向に細長い形状を有しており、その長手方向が水平となるように室内の壁面に取り付けられるものである。尚、以下の説明において、室内機１の長手方向を単に「長手方向」と称する。また、室内機１が取り付けられる壁から突出する方向を「前方」と称し、その反対の方向を「後方」と称する。
【００２６】
この室内機１は、本体ユニット１０（本体）と、本体ユニット１０の前面に取り付けられ、白濁色で光を透過させる透光パネルとしての前面透光パネル２０とを有して構成される。
【００２７】
〔本体ユニット〕
図３に示すように、本体ユニット１０は、本体ケーシング１１と、室内熱交換器１２と、クロスフローファン１３と、電装品ユニット１４と、フィルタユニット１５と、清掃ユニット１６と、前面グリル１７とを有して構成される。
【００２８】
室内熱交換器１２、クロスフローファン１３、電装品ユニット１４、及びフィルタユニット１５は、本体ケーシング１１に取り付けられている。
【００２９】
前面グリル１７は、室内熱交換器１２、クロスフローファン１３、電装品ユニット１４、及びフィルタユニット１５等の構成部材を覆うように本体ケーシング１１の前面に取り付けられている。
【００３０】
室内熱交換器１２は、本体ケーシング１１に対して、前側熱交換器１２ａと後側熱交換器１２ｂとを逆Ｖ字状に配置して構成されたプレートフィン形の熱交換器である。
【００３１】
図１に示すように、前面グリル１７には、天井部分に天面吸込口１７ａが形成されている。当該天面吸込口１７ａは、前面グリル１７の天井部分を格子状にして形成されている。
また、図４に示すように、前面グリル１７の前側上部には、前側開口１７ｂ、１７ｃが形成されている。前側開口１７ｂ、１７ｃは、それぞれ一の開口として形成されている。
また、前面グリル１７には、これらの前側開口１７ｂ、１７ｃの下方に室内機１の長手方向と平行に延びる開口部１７ｄが形成されている。この開口部１７ｄには、清掃ユニット１６が嵌め込まれている。
また、前面グリル１７には、長手方向中央部において、開口部１７ｄの下方に、発光表示部４２を前方に露出させるための開口部１７ｅが形成されている。当該開口部１７ｅは、発光表示部４２の前面形状と略対応する形状で形成され、当該発光表示部４２が、前面グリル１７の内側から外側に向かって挿入されている。
【００３２】
図１に示すように、前面透光パネル２０を閉じた状態で、前面グリル１７の天面吸込口１７ａ、及び、前面透光パネル２０の上部に位置する前側吸込口２０ａから、外部の空気が当該前面グリル１７の内部へ吸い込まれる。
【００３３】
図３に示すように、室内熱交換器１２の逆Ｖ字状の内側には、クロスフローファン１３が設けられている。このクロスフローファン１３は軸流ファンと呼ばれているもので、その軸方向が室内機１の長手方向に沿うように配置されている。
【００３４】
本体ケーシング１１は、吹出口１７ｆの上側に位置するように上側壁面１１ｂを有する。当該上側壁面１１ｂは、前側熱交換器２の下方に位置するドレンパン１１ｃと一体に成形されている。
【００３５】
ドレンパン１１ｃと前面透光パネル２０との間の位置には、電装品ユニット１４が配置されている。また、後側熱交換器１２ｂの下方には、後側ドレンパン１１ｄが配置されている。
【００３６】
本体ケーシング１１、前面グリル１７、及び前面透光パネル２０は、横長のものである。また、吹出口１７ｆは、前面グリル１７の長手方向に沿って延びるように形成されている。
【００３７】
室内機１においては、上面の天面吸込口１７ａ及び前面吸込口２０ａからクロスフローファン１３によって吸い込まれた室内空気を室内熱交換器１２に通過させ冷媒との間で熱交換させ下面の吹出口１７ｆから室内へと吹出される。
【００３８】
フィルタユニット１５は長手方向に並んで設けられた一対のエアフィルタ５１（図３において２点鎖線で、図４において網掛けのハッチングで模式的に示す。図１においては省略する。）と、当該エアフィルタ５１を移動させるためのピニオン５２と、を備えている。当該一対のエアフィルタ５１は、天面吸込口１７ａ及び前側開口１７ｂ、１７ｃに対向する位置に配置されており、天面吸込口１７ａ又は前側開口１７ｂ、１７ｃを通過する空気に混在する塵埃等を取り除くことができる。
【００３９】
清掃ユニット１６は、室内機１の長手方向に延びるとともに、当該長手方向に延びる軸周りに回転するブラシ６１と、ブラシ６１についた塵埃を掻き出すための櫛６２と、当該櫛６２の前方に近接して設けられ室内機１の長手方向に延びて回転する圧縮ローラ６３と、圧縮ローラ６３と櫛６２との間で圧縮された埃が収納されるダストボックス６４と、を備えている。
【００４０】
電装品ユニット１４は、商用電源（交流１００Ｖ又は交流２００Ｖ）に接続される電源入力部としての端子盤、交流回路部、直流高圧回路部、直流低圧回路部、ＣＰＵ制御部等の電装品と、当該電装品を内部に収容する電装品箱４１と、当該電装品箱４１の前面に取り付けられた発光表示部４２（図４参照）とを有して構成される。
【００４１】
電装品箱４１は、本体ユニット１０の長手方向に細長く延びる略直方体状の外形を有しており、内部に収容された電装品の周囲を覆うケースである。当該電装品箱４１は、ドレンパン１１ｃの前方の位置において、本体ユニット１０の長手方向に延びるドレンパン１１ｃと略平行に並んだ状態で、発光表示部４２を前方に向けて配置している。
【００４２】
〔発光表示部〕
次に発光表示部４２について具体的に説明する。
図５は、室内機１から、ベースケース４６、発光基板４５、発光表示部４２が設けられる表示ケース４３、及びシール４９を取り外した状態を説明するための前方斜め上から見た斜視模式図である。
図６は、図５と同様に、室内機１から、ベースケース４６、発光基板４５、発光表示部４２が設けられる表示ケース４３、及びシール４９を取り外した状態を説明するための後方斜め上から見た斜視模式図である。
【００４３】
発光基板４５は、ＬＥＤ等の発光部４４が同一面上にドットマトリックス状に複数配置されており、後述する表示ケース４３にネジ止めされるためのネジ孔４５ａが板厚方向に貫通して形成されている。発光基板４５は図示しないハーネスを介して上記ＣＰＵ制御部等の電装品に接続されており、制御部の指令に基づいて空気調和機の運転状態などを表す所定の文字、図形等が表示されるように発光部４４を発光させるものである。
【００４４】
表示ケース４３は、室内機１の後方へ向かって開口する略箱状に形成され、その箱底部の中央には略矩形で凹状の発光表示部４２が形成されている。発光表示部４２には、室内機１の前後方向（箱底部の板厚方向）に貫通する孔４３ｃが発光部４４それぞれに対応するように設けられている。孔４３ｃは、発光部４４で発光された光を室内機１の前方に伝達するものである。表示ケース４３は、発光基板４５を開口から内部に配置させて、発光基板４５の発光部４４を孔４３ｃに挿入させつつ、ネジ孔４５ａを介してネジ４８により発光基板４５と固着されている。シール４９は、表示ケース４３の発光表示部４２に嵌合される透明部材であり、孔４３ｃ及び発光部４４に対応するように設けられた格子部４９ａを光が透過するものである。このように、複数の発光部４４が同一平面上に配置された略矩形の発光表示部４２が構成され、表示ケース４３は、発光部４４を有する発光基板４５を内部に配置しつつ、発光表示部４２を備えている。
【００４５】
ベースケース４６は、開口する略箱状に形成されており、ベースケース４６の開口と表示ケース４３の開口とを対向させた状態で、表示ケース４３をベースケース４６に内嵌め可能なサイズに形成されている。ベースケース４６の後面には、電装品箱４１の前面へ取り付けるための取り付け部４６ｄが４つ設けられている。
【００４６】
表示ケース４３及びベースケース４６の長手方向の両端部には、それぞれ係止爪部４３ａ、４３ｂと係止受孔部４６ａ、４６ｂとが設けられている。表示ケース４３の係止爪部４３ａをベースケース４６の係止受孔部４６ａに嵌めることにより両者を係止させ、あわせて、表示ケース４３の係止爪部４３ｂをベースケース４６の係止受孔部４６ｂに嵌めることにより両者を係止させて組み立て可能にされている。係止受孔部４６ａ、４６ｂは、室内機１の前後方向に係止爪部４３ａ、４３ｂよりも大きく形成されている。これによりベースケース４６は、表示ケース４３を室内機１の前後方向にスライド自在に支持することができ、前面透光パネル２０の後面の位置に合わせて、表示ケース４３の発光表示部４２を密着させることができる。
【００４７】
表示ケース４３及び発光基板４５とベースケース４６との間には、４つの板バネ４７が介在されている。４つの板バネ４７は、その伸縮方向が室内機１の前後方向と略一致するように、ベースケース４６の箱底部の角部近傍に設けられた取り付け溝４６ｃに基端４７ａが取り付けられている。表示ケース４３の箱底部裏面には、板バネ４７に付勢される受面部４３ｄが発光表示部４２の四隅角部近傍にそれぞれ形成されている。そして、板バネ４７の他端４７ｂが表示ケース４３の受面部４３ｄに接触して前方に向かって付勢することにより、板バネ４７は発光表示部４２の角部近傍を前面透光パネル２０へ向かって付勢するものである。４つの板バネが略矩形の発光表示部４２の四隅の角部近傍をそれぞれ付勢する点、及び、表示ケース４３がベースケース４６に対して前後方向にスライド可能に構成されている点によって、発光表示部４２を前面透光パネル２０へ均一に確実に密着させることができる。
【００４８】
当該発光表示部４２の前方は前面透光パネル２０により覆われることになるが、当該前面透光パネル２０を透過する光を発することで、外部から発光表示部４２の表示を視認することが可能である。
【００４９】
この発光表示部４２は、板バネ４７により電装品箱４１の前面よりも前方に突出するように設けられている。即ち、発光表示部４２の表示面が電装品箱４１の前面よりも前方に配置される。これにより、前面透光パネル２０の裏面を当該発光表示部４２の表示面に確実に密着させることができ、結果として発光表示部４２の表示が外部から視認しやすくなる。
【００５０】
以上のように、本実施形態に係る空気調和機は、発光部４４が配置された略矩形の発光表示部４２と、発光部４４で発光された光を透過させる前面透光パネル２０と、発光表示部４２の角部近傍にそれぞれ配置され、発光表示部４２を前面透光パネル２０に向かって付勢する板バネ４７とを備えている。
【００５１】
このような構成によれば、板バネ４７により発光表示部４２が前面透光パネル２０に向かって付勢されているため、発光表示部４２を前面透光パネル２０へ押し付けて均一に密着させることができ、前面透光パネル２０を透過する発光がぼやけることを抑制することができる。
【００５２】
さらに発光表示部４２には、複数の発光部４４が配置されることにより発光態様を多様化することができる。
【００５３】
また発光表示部４２には、複数の発光部４４がドットマトリックス状に配置されることにより、文字、図形、記号等を表示する多様な発光を行うことができる。
【００５４】
本実施形態のより具体的な空気調和機は、発光表示部４２が設けられ、発光部４４を有する発光基板４５が配置された表示ケース４３と、表示ケース４３と組み立て可能であって、板バネ４７が配置されたベースケース４６とを備えるものが挙げられる。
【００５５】
このような発光表示部４２とベースケース４６との間に、付勢手段を介在させながら組み立てる空気調和機について、付勢手段にコイルバネを用いることが考えられるが、組み立て時の押圧力によりコイルバネが伸縮方向以外の方向に歪み十分に付勢しなくなる等の組み立て不良が発生することがあり、特に複数のコイルバネを介在させた場合には全てのコイルバネを伸縮方向に押圧しつつ組み立てなければならないため、組み立て工程が一般に難しいものとなる。しかしながら、本発明においては、伸縮方向以外の方向へ押圧しても歪み難くい板バネ４７を用いつつ、板バネ４７をベースケース４６に配置したため、歪みを防止して組み立て易さを有効に向上させることができる。
さらに、コイルバネを設ける設置空間を省スペース化するためには、径（バネ幅）の小さいコイルバネを用いるとよいが、組み立て時に歪みやすく組み立てが難しくなってしまう。一方、径（バネ幅）の大きなコイルバネを用いると歪みにくく組み立て易さが向上するが、省スペース化が損なわれてしまう。本発明では、バネ幅Ｗを小さくしても歪みにくい板バネを用いているため、設置空間を小さくすることができる。
したがって、コイルバネ等の付勢手段を用いて、発光表示部４２とベースケース４６と組み立てる空気調和機は、組み立て易さと省スペース化とを両立させることが難しいものと考えられるが、本発明は、板バネ４７を用いることにより、歪みを防止し、設置空間を小さくして組み立て易さと省スペース化とを両立させることができる。
【００５６】
特にベースケース４６及び表示ケース４３は、両端部同士を係止することにより組み立て可能に構成されているから、組み立て易くなるとともに、板バネ４７は伸縮方向以外の方向へ押圧しても歪み難くいため、板バネ４７を均一に押圧しながら両ケースの両端を同時に係止して組み立てたり、板バネ４７を不均一に押圧しながら両ケースの一端を係止させた後に他端を係止させて両ケースを組み立てたりすること等、様々な方向に押圧しつつ組み立てることができ、組み立て易さと組み立ての自由度の双方を向上させることができる。
【００５７】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００５８】
例えば、上記実施形態では、透光パネルを前面透光パネル２０として説明しているが、光を透過させるものであれば、前面グリル１７や、外部から視認される外装カバーであってもよい。
【産業上の利用可能性】
【００５９】
本発明を利用すれば、透光パネルを透過させても発光の視認性の低減を抑制しつつ、組み立て性と省スペース化とを両立した新規の空気調和機を得ることができる。
【図面の簡単な説明】
【００６０】
【図１】本発明の実施形態に係る室内機を示す模式的斜視図。
【図２】図１に示す室内機の正面図。
【図３】図２に示す室内機のＡ−Ａ断面図。
【図４】図２に示す室内機の前面透光パネルを取り外した図。
【図５】発光表示部の周辺部を前方斜め上から見た分解斜視模式図。
【図６】発光表示部の周辺部を後方斜め上から見た分解斜視模式図。
【符号の説明】
【００６１】
１  室内機（空気調和機）
４２  発光表示部
４３  表示ケース
４３ａ、４３ｂ  係止爪部
４４  発光部
４５  発光基板
４６  ベースケース
４６ａ、４６ｂ  係止受孔部
４７  板バネ
【図１】
2010121861.tif 000003
【図２】
2010121861.tif 000004
【図３】
2010121861.tif 000005
【図４】
2010121861.tif 000006
【図５】
2010121861.tif 000007
【図６】
2010121861.tif 000008